(57)【要約】【課題】各種店舗等の開業状況を業種別に時間表形式で一覧表示する店検索装置１００を提供することを目的とする。【解決手段】検索条件入力部１１０はユーザに指定された住所を検索条件として入力する。店情報取得部１２０は指定された住所を所在地とする店の店情報を店情報記憶部１９１から取得する。ウェブ検索部１４０は指定された住所を検索ワードとしてウェブ検索を行い、ウェブデータを取得する。店情報抽出部１５０は指定された住所を所在地とする店の店情報をウェブデータから抽出する。店情報編集部１６０は取得店情報と抽出店情報とに基づいて指定された住所を所在地とする各店舗について営業時間、業種、店名などを時間表形式に編集する。【選択図】図１
2008033811.tif 000002
【特許請求の範囲】
【請求項１】
検索対象地域を示す検索地域情報を検索条件として入力機器から入力する検索条件入力部と、
前記検索条件入力部が入力した前記検索地域情報が示す検索対象地域についてウェブ検索を行って前記検索対象地域に関するウェブデータを取得するウェブ検索部と、
前記ウェブ検索部が取得した前記ウェブデータから前記検索対象地域に位置する店の店情報を前記検索地域情報に基づいて中央処理装置を用いて抽出する店情報抽出部と、
前記店情報抽出部が抽出した前記店情報を出力機器に出力する店情報出力部と
を備えることを特徴とする店検索装置。
【請求項２】
前記ウェブ検索部は、各地域に位置する店の店名を含む店情報を記憶する記憶機器から前記検索対象地域に位置する店の店名を前記検索地域情報に基づいて取得し、取得した店名を検索ワードとして前記検索対象地域についてウェブ検索を行う
ことを特徴とする請求項１記載の店検索装置。
【請求項３】
前記検索条件入力部は、さらに、検索対象時刻を検索条件として入力し、
前記店情報抽出部は、前記検索対象地域に位置し前記検索条件入力部が入力した前記検索対象時刻に営業する店の店情報を抽出する
ことを特徴とする請求項１〜請求項２いずれかに記載の店検索装置。
【請求項４】
前記店情報出力部は、
前記検索対象地域に位置する店について識別情報と営業時間とを対応付けた図表の形式で前記店情報を出力する
ことを特徴とする請求項１〜請求項３いずれかに記載の店検索装置。
【請求項５】
検索対象地域を示す検索地域情報を検索条件として入力機器から入力する検索条件入力部と、
各地域に位置する店の店情報を記憶する記憶機器から前記検索対象地域に位置する店の店情報を前記検索条件入力部が入力した前記検索地域情報に基づいて取得する店情報取得部と、
前記店情報取得部が取得した前記店情報に所定の情報が含まれているか判定する情報有無判定部と、
前記情報有無判定部が前記店情報取得部が取得した前記店情報に所定の情報が含まれていないと判定した場合に前記検索対象地域についてウェブ検索を行って前記検索対象地域に関するウェブデータを取得するウェブ検索部と、
前記ウェブ検索部が取得した前記ウェブデータから前記検索対象地域に位置する店の店情報を前記検索地域情報に基づいて中央処理装置を用いて抽出する店情報抽出部と、
前記店情報取得部が取得した前記店情報と前記店情報抽出部が抽出した前記店情報との少なくともいずれかを出力機器に出力する店情報出力部と
を備えることを特徴とする店検索装置。
【請求項６】
前記店検索装置は、さらに、
郵便番号、店舗の所在地を都道府県、市区町村で示す住所１、店の種類を示す業種、開店時間と閉店時間とを示す営業時間、店名、店舗の所在地を番地、建物名、階数などで示す住所２を含む店情報をレコードＮｏで識別し、１店舗１レコードで記憶管理する店情報記憶部を備える
ことを特徴とする請求項１〜請求項５いずれかに記載の店検索装置。
【請求項７】
前記店検索装置は、さらに、
縦軸で時間、横軸で業種を示し、営業時間を棒・線グラフ形式で示し、棒・線グラフに店名を示すように店情報を編集する店情報編集部を備え、
前記店情報出力部は前記店情報編集部が編集した店情報を出力機器に出力する
ことを特徴とする請求項１〜請求項６いずれかに記載の店検索装置。
【請求項８】
前記店情報出力部は、出力機器に表示する店情報の初期画面において、当日の曜日の現在時刻以降の店情報を表示する
ことを特徴とする請求項１〜請求項７いずれかに記載の店検索装置。
【請求項９】
前記店検索装置は、さらに、
店情報を記憶管理する店情報記憶部を備え、
前記店情報抽出部は、ウェブデータに対して文書処理を行ってウェブデータに含まれる情報を店情報と店情報でない情報に分け、抽出した店情報と前記店情報記憶部に記憶されている店情報とを比較し、抽出した店情報のうち情報が重複しない店情報のみを前記店情報記憶部に登録する
ことを特徴とする請求項１〜請求項８いずれかに記載の店検索装置。
【請求項１０】
前記店検索装置は、さらに、
地図情報を記憶管理する地図情報記憶部と、
前記地図情報記憶部に記憶された地図情報を用いて、業種や営業時間を当該店舗が位置する電子地図上の位置に重畳させた地図情報を店情報として編集する店情報編集部とを備え、
前記店情報出力部は前記店情報編集部が編集した店情報を出力機器に出力する
ことを特徴とする請求項１〜請求項９いずれかに記載の店検索装置。
【請求項１１】
検索条件入力部が検索対象地域を示す検索地域情報を検索条件として入力機器から入力する検索条件入力処理と、
ウェブ検索部が前記検索条件入力部が入力した前記検索地域情報が示す検索対象地域についてウェブ検索を行って前記検索対象地域に関するウェブデータを取得するウェブ検索処理と、
店情報抽出部が前記ウェブ検索部が取得した前記ウェブデータから前記検索対象地域に位置する店の店情報を前記検索地域情報に基づいて中央処理装置を用いて抽出する店情報抽出処理と、
店情報出力部が前記店情報抽出部が抽出した前記店情報を出力機器に出力する店情報出力処理と
をコンピュータに実行させることを特徴とする店検索プログラム。
【請求項１２】
前記ウェブ検索部は、各地域に位置する店の店名を含む店情報を記憶する記憶機器から前記検索対象地域に位置する店の店名を前記検索地域情報に基づいて取得し、取得した店名を検索ワードとして前記検索対象地域についてウェブ検索を行う
ことを特徴とする請求項１１記載の店検索プログラム。
【請求項１３】
前記検索条件入力部は、さらに、検索対象時刻を検索条件として入力し、
前記店情報抽出部は、前記検索対象地域に位置し前記検索条件入力部が入力した前記検索対象時刻に営業する店の店情報を抽出する
ことを特徴とする請求項１１〜請求項１２いずれかに記載の店検索プログラム。
【請求項１４】
前記店情報出力部は、
前記検索対象地域に位置する店について識別情報と営業時間とを対応付けた図表の形式で前記店情報を出力する
ことを特徴とする請求項１１〜請求項１３いずれかに記載の店検索プログラム。
【請求項１５】
検索条件入力部が検索対象地域を示す検索地域情報を検索条件として入力機器から入力する検索条件入力処理と、
店情報取得部が各地域に位置する店の店情報を記憶する記憶機器から前記検索対象地域に位置する店の店情報を前記検索条件入力部が入力した前記検索地域情報に基づいて取得する店情報取得処理と、
情報有無判定部が前記店情報取得部が取得した前記店情報に所定の情報が含まれているか判定する情報有無判定処理と、
ウェブ検索部が前記情報有無判定部が前記店情報取得部が取得した前記店情報に所定の情報が含まれていないと判定した場合に前記検索対象地域についてウェブ検索を行って前記検索対象地域に関するウェブデータを取得するウェブ検索処理と、
店情報抽出部が前記ウェブ検索部が取得した前記ウェブデータから前記検索対象地域に位置する店の店情報を前記検索地域情報に基づいて中央処理装置を用いて抽出する店情報抽出処理と、
店情報出力部が前記店情報取得部が取得した前記店情報と前記店情報抽出部が抽出した前記店情報との少なくともいずれかを出力機器に出力する店情報出力処理と
をコンピュータに実行させることを特徴とする店検索プログラム。
【請求項１６】
前記店検索プログラムは、さらに、
店情報記憶部が、郵便番号、店舗の所在地を都道府県、市区町村で示す住所１、店の種類を示す業種、開店時間と閉店時間とを示す営業時間、店名、店舗の所在地を番地、建物名、階数などで示す住所２を含む店情報をレコードＮｏで識別し、１店舗１レコードで記憶管理する
ことを特徴とする請求項１１〜請求項１５いずれかに記載の店検索プログラム。
【請求項１７】
前記店検索装置は、さらに、
店情報編集部が、縦軸で時間、横軸で業種を示し、営業時間を棒・線グラフ形式で示し、棒・線グラフに店名を示すように店情報を編集し、
前記店情報出力部は前記店情報編集部が編集した店情報を出力機器に出力する
ことを特徴とする請求項１１〜請求項１６いずれかに記載の店検索プログラム。
【請求項１８】
前記店情報出力部は、出力機器に表示する店情報の初期画面において、当日の曜日の現在時刻以降の店情報を表示する
ことを特徴とする請求項１１〜請求項１７いずれかに記載の店検索プログラム。
【請求項１９】
前記店情報抽出部は、ウェブデータに対して文書処理を行ってウェブデータに含まれる情報を店情報と店情報でない情報に分け、抽出した店情報と店情報を記憶管理する店情報記憶部に記憶されている店情報とを比較し、抽出した店情報のうち情報が重複しない店情報のみを店情報記憶部に登録する
ことを特徴とする請求項１１〜請求項１８いずれかに記載の店検索プログラム。
【請求項２０】
前記店検索プログラムは、さらに、
店情報編集部が、地図情報記憶部に記憶された地図情報を用いて、業種や営業時間を当該店舗が位置する電子地図上の位置に重畳させた地図情報を店情報として編集し、
前記店情報出力部は前記店情報編集部が編集した店情報を出力機器に出力する
ことを特徴とする請求項１１〜請求項１９いずれかに記載の店検索プログラム。
【請求項２１】
検索条件入力部が検索対象地域を示す検索地域情報を検索条件として入力機器から入力する検索条件入力処理を行い、
ウェブ検索部が前記検索条件入力部が入力した前記検索地域情報が示す検索対象地域についてウェブ検索を行って前記検索対象地域に関するウェブデータを取得するウェブ検索処理を行い、
店情報抽出部が前記ウェブ検索部が取得した前記ウェブデータから前記検索対象地域に位置する店の店情報を前記検索地域情報に基づいて中央処理装置を用いて抽出する店情報抽出処理を行い、
店情報出力部が前記店情報抽出部が抽出した前記店情報を出力機器に出力する店情報出力処理を行う
ことを特徴とする店検索方法。
【請求項２２】
検索条件入力部が検索対象地域を示す検索地域情報を検索条件として入力機器から入力する検索条件入力処理を行い、
店情報取得部が各地域に位置する店の店情報を記憶する記憶機器から前記検索対象地域に位置する店の店情報を前記検索条件入力部が入力した前記検索地域情報に基づいて取得する店情報取得処理を行い、
情報有無判定部が前記店情報取得部が取得した前記店情報に所定の情報が含まれているか判定する情報有無判定処理を行い、
ウェブ検索部が前記情報有無判定部が前記店情報取得部が取得した前記店情報に所定の情報が含まれていないと判定した場合に前記検索対象地域についてウェブ検索を行って前記検索対象地域に関するウェブデータを取得するウェブ検索処理を行い、
店情報抽出部が前記ウェブ検索部が取得した前記ウェブデータから前記検索対象地域に位置する店の店情報を前記検索地域情報に基づいて中央処理装置を用いて抽出する店情報抽出処理を行い、
店情報出力部が前記店情報取得部が取得した前記店情報と前記店情報抽出部が抽出した前記店情報との少なくともいずれかを出力機器に出力する店情報出力処理を行う
ことを特徴とする店検索方法。
【発明の詳細な説明】
【技術分野】
【０００１】
本発明は、例えば、ウェブ検索機能として提供する店検索装置、店検索プログラムおよび店検索方法に関するものである。
【背景技術】
【０００２】
各種店舗等を検索するシステムやホームページ等において、店舗の一覧又は店舗個々の情報を個別に表示するものは存在するが、検索目的別（例えば、店舗の業種別）に開業状況を一覧できるように体系立てたものがない。
【特許文献１】特開２００２−２４５３３３号公報
【発明の開示】
【発明が解決しようとする課題】
【０００３】
本発明は、例えば、各種店舗等の開業状況を業種別に時間表形式で一覧表示する店検索装置、店検索プログラムおよび店検索方法を提供することを目的とする。
【課題を解決するための手段】
【０００４】
本発明の店検索装置は、検索対象地域を示す検索地域情報を検索条件として入力機器から入力する検索条件入力部と、前記検索条件入力部が入力した前記検索地域情報が示す検索対象地域についてウェブ検索を行って前記検索対象地域に関するウェブデータを取得するウェブ検索部と、前記ウェブ検索部が取得した前記ウェブデータから前記検索対象地域に位置する店の店情報を前記検索地域情報に基づいて中央処理装置を用いて抽出する店情報抽出部と、前記店情報抽出部が抽出した前記店情報を出力機器に出力する店情報出力部とを備えることを特徴とする。
【０００５】
また、前記ウェブ検索部は、各地域に位置する店の店名を含む店情報を記憶する記憶機器から前記検索対象地域に位置する店の店名を前記検索地域情報に基づいて取得し、取得した店名を検索ワードとして前記検索対象地域についてウェブ検索を行うことを特徴とする。
【０００６】
また、前記検索条件入力部は、さらに、検索対象時刻を検索条件として入力し、前記店情報抽出部は、前記検索対象地域に位置し前記検索条件入力部が入力した前記検索対象時刻に営業する店の店情報を抽出することを特徴とする。
【０００７】
また、前記店情報出力部は、前記検索対象地域に位置する店について識別情報と営業時間とを対応付けた図表の形式で前記店情報を出力することを特徴とする。
【０００８】
本発明の店検索装置は、検索対象地域を示す検索地域情報を検索条件として入力機器から入力する検索条件入力部と、各地域に位置する店の店情報を記憶する記憶機器から前記検索対象地域に位置する店の店情報を前記検索条件入力部が入力した前記検索地域情報に基づいて取得する店情報取得部と、前記店情報取得部が取得した前記店情報に所定の情報が含まれているか判定する情報有無判定部と、前記情報有無判定部が前記店情報取得部が取得した前記店情報に所定の情報が含まれていないと判定した場合に前記検索対象地域についてウェブ検索を行って前記検索対象地域に関するウェブデータを取得するウェブ検索部と、前記ウェブ検索部が取得した前記ウェブデータから前記検索対象地域に位置する店の店情報を前記検索地域情報に基づいて中央処理装置を用いて抽出する店情報抽出部と、前記店情報取得部が取得した前記店情報と前記店情報抽出部が抽出した前記店情報との少なくともいずれかを出力機器に出力する店情報出力部とを備えることを特徴とする。
【０００９】
また、前記店検索装置は、さらに、郵便番号、店舗の所在地を都道府県、市区町村で示す住所１、店の種類を示す業種、開店時間と閉店時間とを示す営業時間、店名、店舗の所在地を番地、建物名、階数などで示す住所２を含む店情報をレコードＮｏで識別し、１店舗１レコードで記憶管理する店情報記憶部を備えることを特徴とする。
【００１０】
また、前記店検索装置は、さらに、縦軸で時間、横軸で業種を示し、営業時間を棒・線グラフ形式で示し、棒・線グラフに店名を示すように店情報を編集する店情報編集部を備え、前記店情報出力部は前記店情報編集部が編集した店情報を出力機器に出力することを特徴とする。
【００１１】
また、前記店情報出力部は、出力機器に表示する店情報の初期画面において、当日の曜日の現在時刻以降の店情報を表示することを特徴とする。
【００１２】
また、前記店検索装置は、さらに、店情報を記憶管理する店情報記憶部を備え、前記店情報抽出部は、ウェブデータに対して文書処理を行ってウェブデータに含まれる情報を店情報と店情報でない情報に分け、抽出した店情報と前記店情報記憶部に記憶されている店情報とを比較し、抽出した店情報のうち情報が重複しない店情報のみを前記店情報記憶部に登録することを特徴とする。
【００１３】
また、前記店検索装置は、さらに、地図情報を記憶管理する地図情報記憶部と、前記地図情報記憶部に記憶された地図情報を用いて、業種や営業時間を当該店舗が位置する電子地図上の位置に重畳させた地図情報を店情報として編集する店情報編集部とを備え、前記店情報出力部は前記店情報編集部が編集した店情報を出力機器に出力することを特徴とする。
【００１４】
本発明の店検索プログラムは、検索条件入力部が検索対象地域を示す検索地域情報を検索条件として入力機器から入力する検索条件入力処理と、ウェブ検索部が前記検索条件入力部が入力した前記検索地域情報が示す検索対象地域についてウェブ検索を行って前記検索対象地域に関するウェブデータを取得するウェブ検索処理と、店情報抽出部が前記ウェブ検索部が取得した前記ウェブデータから前記検索対象地域に位置する店の店情報を前記検索地域情報に基づいて中央処理装置を用いて抽出する店情報抽出処理と、店情報出力部が前記店情報抽出部が抽出した前記店情報を出力機器に出力する店情報出力処理とをコンピュータに実行させることを特徴とする。
【００１５】
また、前記ウェブ検索部は、各地域に位置する店の店名を含む店情報を記憶する記憶機器から前記検索対象地域に位置する店の店名を前記検索地域情報に基づいて取得し、取得した店名を検索ワードとして前記検索対象地域についてウェブ検索を行うことを特徴とする。
【００１６】
また、前記検索条件入力部は、さらに、検索対象時刻を検索条件として入力し、前記店情報抽出部は、前記検索対象地域に位置し前記検索条件入力部が入力した前記検索対象時刻に営業する店の店情報を抽出することを特徴とする。
【００１７】
また、前記店情報出力部は、前記検索対象地域に位置する店について識別情報と営業時間とを対応付けた図表の形式で前記店情報を出力することを特徴とする。
【００１８】
本発明の店検索プログラムは、検索条件入力部が検索対象地域を示す検索地域情報を検索条件として入力機器から入力する検索条件入力処理と、店情報取得部が各地域に位置する店の店情報を記憶する記憶機器から前記検索対象地域に位置する店の店情報を前記検索条件入力部が入力した前記検索地域情報に基づいて取得する店情報取得処理と、情報有無判定部が前記店情報取得部が取得した前記店情報に所定の情報が含まれているか判定する情報有無判定処理と、ウェブ検索部が前記情報有無判定部が前記店情報取得部が取得した前記店情報に所定の情報が含まれていないと判定した場合に前記検索対象地域についてウェブ検索を行って前記検索対象地域に関するウェブデータを取得するウェブ検索処理と、店情報抽出部が前記ウェブ検索部が取得した前記ウェブデータから前記検索対象地域に位置する店の店情報を前記検索地域情報に基づいて中央処理装置を用いて抽出する店情報抽出処理と、店情報出力部が前記店情報取得部が取得した前記店情報と前記店情報抽出部が抽出した前記店情報との少なくともいずれかを出力機器に出力する店情報出力処理とをコンピュータに実行させることを特徴とする。
【００１９】
また、前記店検索プログラムは、さらに、店情報記憶部が、郵便番号、店舗の所在地を都道府県、市区町村で示す住所１、店の種類を示す業種、開店時間と閉店時間とを示す営業時間、店名、店舗の所在地を番地、建物名、階数などで示す住所２を含む店情報をレコードＮｏで識別し、１店舗１レコードで記憶管理することを特徴とする。
【００２０】
また、前記店検索装置は、さらに、店情報編集部が、縦軸で時間、横軸で業種を示し、営業時間を棒・線グラフ形式で示し、棒・線グラフに店名を示すように店情報を編集し、前記店情報出力部は前記店情報編集部が編集した店情報を出力機器に出力することを特徴とする。
【００２１】
また、前記店情報出力部は、出力機器に表示する店情報の初期画面において、当日の曜日の現在時刻以降の店情報を表示することを特徴とする。
【００２２】
また、前記店情報抽出部は、ウェブデータに対して文書処理を行ってウェブデータに含まれる情報を店情報と店情報でない情報に分け、抽出した店情報と店情報を記憶管理する店情報記憶部に記憶されている店情報とを比較し、抽出した店情報のうち情報が重複しない店情報のみを店情報記憶部に登録することを特徴とする。
【００２３】
また、前記店検索プログラムは、さらに、店情報編集部が、地図情報記憶部に記憶された地図情報を用いて、業種や営業時間を当該店舗が位置する電子地図上の位置に重畳させた地図情報を店情報として編集し、前記店情報出力部は前記店情報編集部が編集した店情報を出力機器に出力することを特徴とする。
【００２４】
本発明の店検索方法は、検索条件入力部が検索対象地域を示す検索地域情報を検索条件として入力機器から入力する検索条件入力処理を行い、ウェブ検索部が前記検索条件入力部が入力した前記検索地域情報が示す検索対象地域についてウェブ検索を行って前記検索対象地域に関するウェブデータを取得するウェブ検索処理を行い、店情報抽出部が前記ウェブ検索部が取得した前記ウェブデータから前記検索対象地域に位置する店の店情報を前記検索地域情報に基づいて中央処理装置を用いて抽出する店情報抽出処理を行い、店情報出力部が前記店情報抽出部が抽出した前記店情報を出力機器に出力する店情報出力処理を行うことを特徴とする。
【００２５】
本発明の店検索方法は、検索条件入力部が検索対象地域を示す検索地域情報を検索条件として入力機器から入力する検索条件入力処理を行い、店情報取得部が各地域に位置する店の店情報を記憶する記憶機器から前記検索対象地域に位置する店の店情報を前記検索条件入力部が入力した前記検索地域情報に基づいて取得する店情報取得処理を行い、情報有無判定部が前記店情報取得部が取得した前記店情報に所定の情報が含まれているか判定する情報有無判定処理を行い、ウェブ検索部が前記情報有無判定部が前記店情報取得部が取得した前記店情報に所定の情報が含まれていないと判定した場合に前記検索対象地域についてウェブ検索を行って前記検索対象地域に関するウェブデータを取得するウェブ検索処理を行い、店情報抽出部が前記ウェブ検索部が取得した前記ウェブデータから前記検索対象地域に位置する店の店情報を前記検索地域情報に基づいて中央処理装置を用いて抽出する店情報抽出処理を行い、店情報出力部が前記店情報取得部が取得した前記店情報と前記店情報抽出部が抽出した前記店情報との少なくともいずれかを出力機器に出力する店情報出力処理を行うことを特徴とする。
【発明の効果】
【００２６】
本発明によれば、例えば、各種店舗等の開業状況を業種別に時間表形式で一覧表示する店検索装置、店検索プログラムおよび店検索方法を提供することができ、日常生活に役立つ便利なウェブポータルサイトを提供することができる。
【発明を実施するための最良の形態】
【００２７】
実施の形態１．
図１は、実施の形態１における店検索装置１００の構成図である。
実施の形態１における店検索装置１００の構成について、図１に基づいて以下に説明する。
【００２８】
店検索装置１００は検索条件入力部１１０、店情報取得部１２０、情報有無判定部１３０、ウェブ検索部１４０、店情報抽出部１５０、店情報編集部１６０、店情報出力部１７０、店情報記憶部１９１および地図情報記憶部１９２を備える。
検索条件入力部１１０は、検索対象地域を示す検索地域情報や検索対象時刻を検索条件として入力機器から入力する。検索条件入力部１１０は、例えば、キーボード９０２、携帯電話やネットワークに接続されたパーソナルコンピュータなどのユーザ端末装置９４３とデータ通信する通信ボード９１５（図３参照）を入力機器として検索条件を入力する。
店情報取得部１２０は、各地域に位置する店の店情報を記憶する店情報記憶部１９１から検索対象地域に位置する店の店情報を、検索条件入力部１１０が入力した検索地域情報に基づいて取得する。
情報有無判定部１３０は、店情報取得部１２０が取得した店情報に店名、業種、営業時間などの所定の情報が含まれているか判定する。
ウェブ検索部１４０は、検索条件入力部１１０が入力した検索地域情報が示す検索対象地域についてインターネット９４０を利用してウェブ検索を行って、検索対象地域に関するウェブデータをＷＥＢサーバ９４１から取得する。例えば、ウェブ検索部１４０は、まず、各地域に位置する店の店名を含む店情報を記憶する店情報記憶部１９１から検索対象地域に位置する店の店名を検索地域情報に基づいて取得する。そして、ウェブ検索部１４０は取得した店名を検索ワードとして検索対象地域についてウェブ検索を行ってウェブデータを取得する。また例えば、ウェブ検索部１４０は情報有無判定部１３０が店情報取得部１２０の取得した店情報に所定の情報が含まれていないと判定した場合に、検索対象地域についてウェブ検索を行って検索対象地域に関するウェブデータを取得する。
店情報抽出部１５０は、ウェブ検索部１４０が取得したウェブデータから検索対象地域に位置する店の店情報を、検索地域情報に基づいてＣＰＵ９１１を用いて抽出する。このとき、店情報抽出部１５０は、例えば、検索対象地域に位置すると共に検索対象時刻に営業する店の店情報を抽出する。
店情報編集部１６０は、店情報取得部１２０が取得した店情報や店情報抽出部１５０が抽出した店情報を編集する。例えば、店情報編集部１６０は業種や店名などの識別情報と営業時間とを対応付けた図表の形式で店情報を編集する。また例えば、店情報編集部１６０は、地図情報記憶部１９２に記憶された地図情報を用いて店名、業種、営業時間などを当該店舗が位置する電子地図上の位置に重畳させた地図情報を店情報として編集する。
店情報出力部１７０は、店情報取得部１２０が取得した店情報と店情報抽出部１５０が抽出した店情報との少なくともいずれかの店情報であり、店情報編集部１６０が編集した店情報を出力機器に出力する。店情報出力部１７０が出力する店情報は、例えば、検索対象地域に位置する店について識別情報と営業時間とを対応付けた図表の形式である。また、店情報出力部１７０は、例えば、表示装置９０１、携帯電話やネットワークに接続したパーソナルコンピュータなどのユーザ端末装置とデータ通信する通信機器を出力機器として店情報を出力する。
店情報記憶部１９１は各地域に位置する店について店名や営業時間などが対応付けられた店情報を記憶する記憶機器である。店情報記憶部１９１は郵便番号、店舗の所在地を都道府県、市区町村で示す住所１、店の種類を示す業種、開店時間と閉店時間とを示す営業時間、店名、店舗の所在地を番地、建物名、階数などで示す住所２を含む店情報をレコードＮｏで識別し、１店舗１レコードで記憶管理する。
地図情報記憶部１９２は各地域の電子地図を表す地図情報を記憶する記憶機器である。
【００２９】
検索条件とは、例えば、検索対象地域を示す検索地域情報、検索対象時刻のことである。
また、検索対象地域を示す検索地域情報とは、例えば、携帯電話などでＧＰＳ（Ｇｌｏｂａｌ  Ｐｏｓｉｔｉｏｎｉｎｇ  Ｓｙｓｔｅｍ）を利用して取得された位置情報、ユーザに指定された住所や郵便番号のことである。
店情報とは、例えば、店名、業種、営業時間、住所を示す情報のことである。
以下、店情報取得部１２０が店情報記憶部１９１から取得した店情報を取得店情報、店情報抽出部１５０がウェブデータから抽出した店情報を抽出店情報、店情報編集部１６０が取得店情報や抽出店情報を編集する店情報を編集店情報とする。
【００３０】
図２は、実施の形態１における店検索装置１００の外観の一例を示す図である。
図２において、店検索装置１００は、システムユニット９１０、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・  Ｄｒｉｖｅ）、ＣＤＤ９０５（コンパクトディスク装置）、プリンタ装置９０６、スキャナ装置９０７、マイク９０８、スピーカー９０９などのハードウェア資源を備え、これらはケーブルや信号線で接続されている。
システムユニット９１０は、コンピュータであり、ファクシミリ機９３２、電話器９３１とケーブルで接続され、また、ＬＡＮ９４２（ローカルエリアネットワーク）を介してインターネット９４０に接続されている。インターネット９４０には店情報を示すウェブページを提供するプロバイダや店舗で設置されたＷＥＢサーバ９４１と店検索装置１００をサーバとして利用するユーザ端末装置９４３とが接続している。
【００３１】
図３は、実施の形態１における店検索装置１００のハードウェア資源の一例を示す図である。
図３において、店検索装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、マイク９０８、スピーカー９０９、磁気ディスク装置９２０と接続され、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶機器、記憶装置あるいは記憶部の一例である。
通信ボード９１５、キーボード９０２、スキャナ装置９０７、ＦＤＤ９０４などは、入力機器、入力装置あるいは入力部の一例である。
また、通信ボード９１５、表示装置９０１、プリンタ装置９０６などは、出力機器、出力装置あるいは出力部の一例である。
【００３２】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。
磁気ディスク装置９２０には、ＯＳ９２１（オペレーティングシステム）、ウィンドウシステム９２２、プログラム群９２３、ファイル群９２４が記憶されている。プログラム群９２３のプログラムは、ＣＰＵ９１１、ＯＳ９２１、ウィンドウシステム９２２により実行される。
【００３３】
上記プログラム群９２３には、実施の形態において「〜部」として説明する機能を実行するプログラムが記憶されている。プログラムは、ＣＰＵ９１１により読み出され実行される。
ファイル群９２４には、実施の形態において、「〜部」の機能を実行した際の「〜の判定結果」、「〜の計算結果」、「〜の処理結果」などの結果データ、「〜部」の機能を実行するプログラム間で受け渡しするデータ、その他の情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号値は、バス９１２や信号線やケーブルその他の伝送媒体によりオンライン伝送される。
【００３４】
また、実施の形態において「〜部」として説明するものは、「〜回路」、「〜装置」、「〜機器」、「〜手段」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、店検索プログラムは、「〜部」としてコンピュータを機能させるものである。あるいは、「〜部」の手順や方法をコンピュータに実行させるものである。
【００３５】
図４は、実施の形態１における店検索方法を示すフローチャートである。
実施の形態１における店検索装置１００が実行する店検索方法について、図４に基づいて以下に説明する。
「〜部」として説明する店検索装置１００の各構成要素は、以下の処理をＣＰＵ９１１を用いて実行する。
【００３６】
＜Ｓ１０１：検索条件入力処理＞
まず、検索条件入力部１１０は入力機器から検索対象地域を示す検索地域情報を検索条件として入力し、入力した検索条件を店情報取得部１２０とウェブ検索部１４０とに出力する。
例えば、検索条件入力部１１０は、キーボード９０２、携帯電話やネットワークに接続されたパーソナルコンピュータなどのユーザ端末装置９４３とデータ通信する通信ボード９１５を入力機器として、ユーザに指定された住所や郵便番号を検索条件として入力する。
住所や郵便番号は検索対象地域を示す検索地域情報の一例である。
【００３７】
＜Ｓ１０２：店情報取得処理１＞
次に、店情報取得部１２０は、検索条件入力部１１０から入力した検索条件が示す検索地域情報に基づいて、検索対象地域に位置する店の店情報を店情報記憶部１９１から取得し、取得した店情報（取得店情報）を情報有無判定部１３０に出力する。
例えば、店情報取得部１２０はＳ１０１でユーザに指定された住所または郵便番号を店の所在地（住所、郵便番号）として含んでいることを検索条件として店情報記憶部１９１に対して店情報の検索を行い、検索条件に該当した店情報を検索対象地域に位置する店の店情報として取得する。
【００３８】
＜Ｓ１０３：情報有無判定処理＞
次に、情報有無判定部１３０は、店情報取得部１２０から入力した取得店情報に所定の情報が含まれているか判定し、所定の情報の有無を示す判定結果を店情報取得部１２０に出力する。
例えば、情報有無判定部１３０は取得店情報に店名と業種と営業時間とが含まれているかを判定する。
【００３９】
＜Ｓ１０４：店情報取得処理２＞
そして、店情報取得部１２０は、情報有無判定部１３０から入力した判定結果が所定の情報を含むこと（所定情報有り）を示す取得店情報を店情報編集部１６０に出力する。
【００４０】
＜Ｓ１０５：ウェブ検索処理＞
また、ウェブ検索部１４０は、検索条件入力部１１０から入力した検索条件が示す検索地域情報に基づいて、検索対象地域についてウェブ検索を行ってインターネット９４０に接続されたＷＥＢサーバ９４１から検索対象地域に関するウェブデータを取得し、取得したウェブデータと検索条件入力部１１０から入力した検索条件とを店情報抽出部１５０に出力する。
例えば、ウェブ検索部１４０はＳ１０１でユーザに指定された住所や郵便番号を検索ワードとしてウェブ検索を行う。
【００４１】
＜Ｓ１０６：店情報抽出処理＞
次に、店情報抽出部１５０は、ウェブ検索部１４０から入力したウェブデータから検索対象地域に位置する店の店情報を検索地域情報に基づいて抽出し、抽出した店情報を店情報編集部１６０に出力する。
例えば、店情報抽出部１５０はウェブデータに対して、「住所」、「営業時間」などをキーワードとして検索するキーワード検索、記載内容について検索する概念検索、文を形態素に分けて単語の区切りや品詞の種類などを解析する形態素解析、文の構造を解析する構文解析、文に含まれる語句を解析する字句解析などの処理を行う。そして、店情報抽出部１５０はウェブデータに含まれる情報を店情報と店情報でない情報とに分けて各店の店情報を取得する。そして、店情報抽出部１５０は取得した各店情報からＳ１０１でユーザに指定された住所または郵便番号を店の所在地として含んでいる店情報を抽出する。
【００４２】
＜Ｓ１０７：店情報登録処理＞
また、店情報抽出部１５０は、Ｓ１０６で抽出した店情報（抽出店情報）を店情報記憶部１９１に登録する。
店情報抽出部１５０が店情報記憶部１９１に登録した店情報は、次回以降の店情報取得処理（Ｓ１０２）において店情報取得部１２０が取得する店情報（取得店情報）の候補として利用される。
店情報抽出部１５０は抽出店情報と店情報記憶部１９１に記憶されている店情報とを比較し、情報が重複しない抽出店情報のみを店情報記憶部１９１に登録することが望ましい。
【００４３】
＜Ｓ１０８：店情報編集処理＞
次に、店情報編集部１６０は、店情報取得部１２０から入力した取得店情報、店情報抽出部１５０から入力した抽出店情報を編集し、編集した店情報（編集店情報）を店情報出力部１７０に出力する。
例えば、店情報編集部１６０は業種や店名などの識別情報と営業時間とを対応付けた図表の形式で店情報を編集する。また例えば、店情報編集部１６０は縦軸で時間、横軸で業種を示し、営業時間を棒・線グラフ形式で示し、棒・線グラフに店名を示すように店情報を編集する。また例えば、店情報編集部１６０は、地図情報記憶部１９２に記憶された地図情報を用いて、業種や営業時間を当該店舗が位置する電子地図上の位置に重畳させた地図情報を店情報として編集する。
また、店情報編集部１６０は取得店情報と抽出店情報とを比較して、店情報が重複しないように店情報を編集することが望ましい。
【００４４】
＜Ｓ１０９：店情報出力処理＞
そして、店情報出力部１７０は、店情報編集部１６０から入力した編集店情報を出力機器に出力する。
例えば、店情報出力部１７０は表示装置９０１、携帯電話やネットワークに接続したパーソナルコンピュータなどのユーザ端末装置とデータ通信する通信機器を出力機器として編集店情報を出力する。
【００４５】
図５は、実施の形態１における取得店情報、抽出店情報の一例である。
図６は、実施の形態１における編集店情報の一例である。
実施の形態１における店情報の具体例について、図５および図６に基づいて以下に説明する。
【００４６】
図５に示すように、店情報記憶部１９１は郵便番号、住所１、業種、営業時間、店名、住所２などを含む店情報をレコードＮｏで識別し、１店舗１レコードで記憶管理する。
住所１は店舗の所在地を都道府県、市区町村で示す。
業種はコンビニ、スーパー、ドラッグストア、ファーストフード店、コーヒーショップ、病院、書店などを示す。
営業時間は開店時間と閉店時間とを示す。
住所２は店舗の所在地を番地、建物名、階数などで示す
Ｓ１０２において店情報取得部１２０は店情報記憶部１９１に記憶された図５に示すような店情報から該当する店情報のレコードを取得店情報として取得する。
また、Ｓ１０７において店情報抽出部１５０は抽出店情報を図５に示すようなレコード形式で店情報記憶部１９１に登録する。
【００４７】
Ｓ１０８において店情報編集部１６０は、図６に示すような業種、店名、営業時間を表す店情報を編集する。
特に、店情報編集部１６０は、図６に示すように縦・横軸で時間、業種を示し、営業時間を棒・線グラフ形式で示し、棒・線グラフに店名を示すような店情報を編集するとよい。
店情報出力部１７０はＳ１０９において編集店情報を出力することで、店検索装置１００の表示装置９０１やユーザ端末装置の表示装置に図６に示すように編集店情報を表示させる。
また、店検索装置１００の表示装置９０１やユーザ端末装置の表示装置に表示する編集店情報の初期画面において、当日の曜日の現在時刻以降の編集店情報を表示させると利便性が向上する。例えば、当日が土曜日であり現在時刻が６時台である場合に、図６に示すように土曜日の営業時間を６時台を時間軸の最上部に位置させて表示させるとよい。
【００４８】
実施の形態２．
上記実施の形態１における店検索方法（図４）ではウェブ検索部１４０がウェブ検索を無条件に実行する形態について説明した。
実施の形態２では、ウェブ検索部１４０が店情報取得部１２０の取得店情報が不十分な場合にウェブ検索を実行し、店情報取得部１２０の取得店情報が十分な場合にはウェブ検索を実行しない形態について説明する。
実施の形態２により、店検索装置１００は、検索条件を入力してから編集店情報を出力するまでの応答時間を短縮することができる。
以下、上記実施の形態１と異なる事項について説明し、説明しない事項は上記実施の形態１と同様とする。
【００４９】
図７は、実施の形態２における店検索方法を示すフローチャートである。
実施の形態２における店検索装置１００が実行する店検索方法について、図７に基づいて以下に説明する。
「〜部」として説明する店検索装置１００の各構成要素は、以下の処理をＣＰＵ９１１を用いて実行する。
【００５０】
Ｓ２０１〜Ｓ２０９は上記実施の形態１におけるＳ１０１〜Ｓ１０９（図４）に対応する。
【００５１】
図７に示すように、Ｓ２０５〜Ｓ２０７は、Ｓ２０３において情報有無判定部１３０が取得店情報を所定情報無しと判定した場合に実行される。
【００５２】
例えば、ウェブ検索部１４０は情報有無判定部１３０が所定の情報が含まれていないと判定した店舗についてだけウェブ検索（Ｓ２０５）を行ってもよい。
また例えば、ウェブ検索部１４０は情報有無判定部１３０が所定の情報が含まれると判定した取得店情報が特定の店舗数未満の場合にウェブ検索（Ｓ２０５）を行ってもよい。
【００５３】
各実施の形態において、検索条件入力部１１０は、通信ボード９１５を入力機器として、ユーザの所持する携帯電話がＧＰＳを利用して取得した位置情報を検索条件として入力してもよい。
この場合、例えば、店検索装置１００が座標と住所とを対応付けて記憶させた記憶機器を備え、Ｓ１０１、Ｓ２０１において、検索条件入力部１１０は座標を示す位置情報を入力し、入力した座標を基点にした特定の範囲を示す住所を記憶機器から取得し、取得した住所を検索条件として店情報取得部１２０やウェブ検索部１４０に出力する。
【００５４】
また、検索条件入力部１１０は検索条件として、さらに、検索対象時刻、検索対象業種などを入力してもよい。また、検索対象時刻は時刻と共に曜日を示すものであってもよい。
この場合、例えば、Ｓ１０３において、情報有無判定部１３０は検索対象時刻を含む営業時間、検索対象業種と同じ業種を所定の情報として、取得店情報に対して所定の情報の有無を判定する。
また、例えば、Ｓ１０６において、店情報抽出部１５０はウェブデータから営業時間帯に検索対象時刻が含まれる店情報、検索対象業種と同じ業種の店情報を抽出し店情報編集部１６０に出力する。
また、例えば、Ｓ１０８において、店情報編集部１６０は店情報取得部１２０から入力した取得店情報、店情報抽出部１５０から入力した抽出店情報から営業時間帯に検索対象時刻が含まれる店情報、検索対象業種と同じ業種の店情報を抽出し、抽出した店情報を編集する。
【００５５】
また、Ｓ１０５において、ウェブ検索部１４０は検索条件として入力した住所などに基づいて、検索対象地域に位置する店の店情報を店情報記憶部１９１から取得し、取得した店情報から店名を取得し、取得した店名を検索ワードとしてウェブ検索を行ってもよい。
また、店情報編集部１６０は図６に示すような表・グラフ形式でなく、地図情報記憶部１９２に記憶された地図情報を用いて、店名、業種、営業時間などを当該店舗が位置する電子地図上の位置に重畳させた図形式で編集してもよい。
【００５６】
また、各実施の形態において、店情報は店舗の情報でなくても構わず、例えば、各種施設の情報であってもよい。
【００５７】
各実施の形態において、以下のような店検索装置１００について説明した。
（１）店舗等検索・時間表表示について
コンビニエンスストア、スーパーマーケット、ドラッグストア、書店、コーヒーショップ、病院、ガソリンスタンド等の開業情報をデータベース（店情報記憶部１９１）に登録しておく。
これらの店舗等を地域別及び目的別に検索する検索手段（店情報取得部１２０、ウェブ検索部１４０）を備える。
検索結果を目的、種類等のカテゴリに分類し、開店時間表形式（編集店情報）で表示させる。
（２）ユーザ位置基準店舗等検索・時間表表示について
ユーザ端末の現在位置情報を取得する手段（検索条件入力部１１０）を備える。
ユーザ端末の現在位置から一定範囲内にある各種店舗等を自動検索する手段（店情報取得部１２０、ウェブ検索部１４０）を備える。
検索結果を目的、種類等のカテゴリに分類し、指定日時／指定曜日別の開店時間表形式（編集店情報）で表示させる。
（３）営業時間別店舗等検索・時間表表示について
ユーザ端末から営業時間を指定させる手段（検索条件入力部１１０）を備える。
検索条件に該当する各種店舗等を自動検索する手段（店情報取得部１２０、ウェブ検索部１４０）を備える。
検索結果を目的、種類等のカテゴリに分類し、指定日時／指定曜日別の開店時間表形式（編集店情報）で表示させる。
【図面の簡単な説明】
【００５８】
【図１】実施の形態１における店検索装置１００の構成図。
【図２】実施の形態１における店検索装置１００の外観の一例を示す図。
【図３】実施の形態１における店検索装置１００のハードウェア資源の一例を示す図。
【図４】実施の形態１における店検索方法を示すフローチャート。
【図５】実施の形態１における取得店情報、抽出店情報の一例。
【図６】実施の形態１における編集店情報の一例。
【図７】実施の形態２における店検索方法を示すフローチャート。
【符号の説明】
【００５９】
１００  店検索装置、１１０  検索条件入力部、１２０  店情報取得部、１３０  情報有無判定部、１４０  ウェブ検索部、１５０  店情報抽出部、１６０  店情報編集部、１７０  店情報出力部、１９１  店情報記憶部、１９２  地図情報記憶部、９０１  表示装置、９０２  キーボード、９０３  マウス、９０４  ＦＤＤ、９０５  ＣＤＤ、９０６  プリンタ装置、９０７  スキャナ装置、９０８  マイク、９０９  スピーカー、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ＷＥＢサーバ、９４２  ＬＡＮ、９４３  ユーザ端末装置。
【図１】
2008033811.tif 000003
【図２】
2008033811.tif 000004
【図３】
2008033811.tif 000005
【図４】
2008033811.tif 000006
【図５】
2008033811.tif 000007
【図６】
2008033811.tif 000008
【図７】
2008033811.tif 000009